(57)【要約】【課題】電子機器に実装された温度センサの動作検査を短時間かつ適切に実施することが可能な電子機器等を提供すること。【解決手段】表示装置３００が、内部のＶＤＰ３０４の温度を検出するとともに、当該検出温度が警告温度以上の場合に警告信号を出力し、前記検出温度が前記警告温度未満の場合に警告信号を出力しないように構成された温度センサ３０８と、現在の検出温度よりも高い温度を前記警告温度として温度センサ３０８に設定するとともに、前記現在の検出温度よりも低い温度を前記警告温度として温度センサ３０８に設定するＣＰＵ３０１と、前記高い温度の設定時および前記低い温度の設定時における前記警告信号の出力に関する情報を表示する液晶パネル３０７とを含んで構成される。【選択図】図１
2007240179.tif 000002
【特許請求の範囲】
【請求項１】
温度センサが実装された電子機器において、
前記電子機器内の温度を検出するとともに、当該検出温度が警告温度以上の場合に警告信号を出力し、前記検出温度が前記警告温度未満の場合に警告信号を出力しないように構成された前記温度センサと、
現在の検出温度を前記温度センサから取得し、前記現在の検出温度よりも高い温度を前記警告温度として前記温度センサに設定するとともに、前記現在の検出温度よりも低い温度を前記警告温度として前記温度センサに設定する制御部と、
前記高い温度の設定時および前記低い温度の設定時における前記警告信号の出力に関する情報を、画像、音、光のうちの少なくとも１つを用いて提示する提示部と、
を含むことを特徴とする電子機器。
【請求項２】
請求項１に記載の電子機器において、
前記電子機器のシステムをリセットするリセット部を含み、
前記温度センサは、前記検出温度が前記警告温度より高い危険温度以上の場合に危険信号を前記リセット部に出力し、前記検出温度が前記危険温度未満の場合に危険信号を前記リセット部に出力しないように構成され、
前記制御部は、前記現在の検出温度よりも高い温度を前記危険温度として前記温度センサに設定するとともに、前記現在の検出温度よりも低い温度を前記危険温度として前記温度センサに設定し、
前記リセット部は、前記危険信号が出力されない場合は前記システムをリセットせず、前記危険信号が出力された場合は前記システムをリセットすることを特徴とする電子機器。
【請求項３】
制御部および提示部を有する電子機器に実装された温度センサの動作検査方法において、
検出温度が警告温度以上の場合に警告信号を出力し、前記検出温度が前記警告温度未満の場合に警告信号を出力しないように構成された前記温度センサが、前記電子機器内の温度を検出し、
前記制御部が、現在の検出温度を前記温度センサから取得し、
前記制御部が、前記現在の検出温度よりも高い温度を前記警告温度として前記温度センサに設定し、
前記提示部が、前記警告信号の出力に関する情報を、画像、音、光のうちの少なくとも１つを用いて提示し、
前記制御部が、前記現在の検出温度よりも低い温度を前記警告温度として前記温度センサに設定し、
前記提示部が、前記警告信号の出力に関する情報を、画像、音、光のうちの少なくとも１つを用いて提示することを特徴とする温度センサの検査方法。
【請求項４】
請求項３に記載の温度センサの検査方法において、
前記電子機器は、前記電子機器のシステムをリセットするリセット部を含み、
前記温度センサは、前記検出温度が前記警告温度より高い危険温度以上の場合に危険信号を前記リセット部に出力し、前記検出温度が前記危険温度未満の場合に危険信号を前記リセット部に出力しないように構成され、
前記制御部が、前記警告温度の設定後に前記現在の検出温度よりも高い温度を前記危険温度として前記温度センサに設定し、
前記リセット部が、前記危険信号が出力されない場合は前記システムをリセットせず、前記危険信号が出力された場合は前記システムをリセットし、
前記制御部が、前記現在の検出温度よりも低い温度を前記危険温度として前記温度センサに設定し、
前記リセット部が、前記危険信号が出力されない場合は前記システムをリセットせず、前記危険信号が出力された場合は前記システムをリセットすることをもって良否の判定をすることを特徴とする温度センサの動作検査方法。
【発明の詳細な説明】
【技術分野】
【０００１】
本発明は、電子機器および温度センサの動作検査方法に関する。
【背景技術】
【０００２】
例えば、特許文献１に記載されているように、遊技機に温度センサを設け、制御手段が温度センサの測定温度に応じて冷却手段を制御することが行われている。
【０００３】
このような制御を行うためには、遊技機に搭載された温度センサが適切に動作することが必要であり、そのためには温度センサの動作を適切に検査する必要がある。
【特許文献１】特開平１１−４４６号公報
【発明の開示】
【発明が解決しようとする課題】
【０００４】
しかし、温度センサの動作検査を行う場合、温度センサが実装された電子機器の温度を上げることは、時間がかかる上、電子機器自体に影響が及ぶため、実際には採用できない。
【０００５】
本発明の目的は、電子機器に実装された温度センサの動作検査を短時間かつ適切に実施することが可能な電子機器および温度センサの動作検査方法を提供することにある。
【課題を解決するための手段】
【０００６】
上記課題を解決するため、本発明に係る電子機器は、
温度センサが実装された電子機器において、
前記電子機器内の温度を検出するとともに、当該検出温度が警告温度以上の場合に警告信号を出力し、前記検出温度が前記警告温度未満の場合に警告信号を出力しないように構成された前記温度センサと、
現在の検出温度を前記温度センサから取得し、前記現在の検出温度よりも高い温度を前記警告温度として前記温度センサに設定するとともに、前記現在の検出温度よりも低い温度を前記警告温度として前記温度センサに設定する制御部と、
前記高い温度の設定時および前記低い温度の設定時における前記警告信号の出力に関する情報を、画像、音、光のうちの少なくとも１つを用いて提示する提示部と、
を含むことを特徴とする。
【０００７】
また、本発明に係る温度センサの動作検査方法は、
制御部および提示部を有する電子機器に実装された温度センサの動作検査方法において、
検出温度が警告温度以上の場合に警告信号を出力し、前記検出温度が前記警告温度未満の場合に警告信号を出力しないように構成された前記温度センサが、前記電子機器内の温度を検出し、
前記制御部が、現在の検出温度を前記温度センサから取得し、
前記制御部が、前記現在の検出温度よりも高い温度を前記警告温度として前記温度センサに設定し、
前記提示部が、前記警告信号の出力に関する情報を、画像、音、光のうちの少なくとも１つを用いて提示し、
前記制御部が、前記現在の検出温度よりも低い温度を前記警告温度として前記温度センサに設定し、
前記提示部が、前記警告信号の出力に関する情報を、画像、音、光のうちの少なくとも１つを用いて提示することを特徴とする。
【０００８】
本発明によれば、電子機器等は、現在の検出温度を取得し、当該検出温度に基づいて警告温度を設定し、警告信号の出力に関する情報を提示することにより、温度センサの警告動作の検査を行うことができる。これにより、ユーザーは、電子機器に実装された温度センサの動作検査を短時間かつ適切に実施することができる。
【０００９】
また、前記電子機器は、
前記電子機器のシステムをリセットするリセット部を含み、
前記温度センサは、前記検出温度が前記警告温度より高い危険温度以上の場合に危険信号を前記リセット部に出力し、前記検出温度が前記危険温度未満の場合に危険信号を前記リセット部に出力しないように構成され、
前記制御部は、前記現在の検出温度よりも高い温度を前記危険温度として前記温度センサに設定するとともに、前記現在の検出温度よりも低い温度を前記危険温度として前記温度センサに設定し、
前記リセット部は、前記危険信号が出力されない場合は前記システムをリセットせず、前記危険信号が出力された場合は前記システムをリセットしてもよい。
【００１０】
また、前記温度センサの検査方法において、
前記電子機器は、前記電子機器のシステムをリセットするリセット部を含み、
前記温度センサは、前記検出温度が前記警告温度より高い危険温度以上の場合に危険信号を前記リセット部に出力し、前記検出温度が前記危険温度未満の場合に危険信号を前記リセット部に出力しないように構成され、
前記制御部が、前記警告温度の設定後に前記現在の検出温度よりも高い温度を前記危険温度として前記温度センサに設定し、
前記リセット部が、前記危険信号が出力されない場合は前記システムをリセットせず、前記危険信号が出力された場合は前記システムをリセットし、
前記制御部が、前記現在の検出温度よりも低い温度を前記危険温度として前記温度センサに設定し、
前記リセット部が、前記危険信号が出力されない場合は前記システムをリセットせず、前記危険信号が出力された場合は前記システムをリセットすることをもって良否の判定をしてもよい。
【００１１】
これによれば、電子機器等は、現在の検出温度を取得し、当該検出温度に基づいて危険温度を設定し、危険信号の出力に関する情報を提示することにより、温度センサの危険回避動作の検査を行うことができる。これにより、ユーザーは、電子機器に実装された温度センサの動作検査を短時間かつ適切に実施することができる。
【発明を実施するための最良の形態】
【００１２】
以下、本発明を表示装置に適用した場合を例に採り、図面を参照しつつ説明する。なお、以下に示す実施例は、特許請求の範囲に記載された発明の内容を何ら限定するものではない。また、以下の実施例に示す構成の全てが、特許請求の範囲に記載された発明の解決手段として必須であるとは限らない。
【００１３】
図１は、本実施例における表示装置３００の機能ブロック図である。
【００１４】
電子機器の一種である表示装置３００は、内部の構成素子であるＶＤＰ(Video Display Processor)３０４の温度を検出する温度センサ３０８と、制御部として機能するＣＰＵ３０１と、表示装置３００のシステムをリセットするリセット回路３０９と、警告信号等の出力に関する情報を画像で示す提示部として機能する液晶パネル３０７とを含んで構成されている。
【００１５】
また、表示装置３００は、パチンコ機、スロット機等の遊技機に組み込まれており、遊技機の演出等を行うためのＣＰＵ用ワークＲＡＭ３０２と、プログラムＲＯＭ３０３と、ＶＲＡＭ３０５とを含んで構成されている。
【００１６】
図２は、本実施例における温度センサ３０８の機能ブロック図である。
【００１７】
また、温度センサ３０８は、温度測定部１１０と、記憶部１２０と、信号出力部１３０とを含んで構成されている。また、記憶部１２０は、警告温度を示す警告温度データ１２２、システムリセットが必要な危険温度を示す危険温度データ１２４等を記憶している。例えば、表示装置３００が正常に稼働する温度が６０度以下の場合、危険温度は６０度であり、警告温度は５０度である。
【００１８】
また、信号出力部１３０は、温度測定部１１０による検出温度が警告温度以上の場合に警告信号を出力し、前記検出温度が前記警告温度未満の場合に警告信号を出力しないように構成されている。さらに、信号出力部１３０は、検出温度が危険温度以上の場合に危険信号を出力し、前記検出温度が前記危険温度未満の場合に危険信号を出力しないように構成されている。なお、信号出力部１３０は、危険温度の判定を警告温度の判定よりも優先して行う。
【００１９】
次に、これらの各部を用いた温度センサ３０８の動作検査手順について説明する。
【００２０】
図３は、本実施例における検査処理の流れを示すフローチャートである。
【００２１】
ＣＰＵ３０１は、プログラムＲＯＭ３０３に記憶された制御プログラムに基づき、下記の手順で検査処理を実行する。
【００２２】
まず、ＶＤＰ３０４は、ＣＰＵ３０１からの命令に応じてＶＲＡＭ３０５内の画像データに基づき、画像信号を液晶パネル３０７に出力する。液晶パネル３０７は、当該画像信号に基づき、水色の画像を表示する（ステップＳ１）。
【００２３】
ＣＰＵ３０１は、温度測定部１１０に現在の温度を検出させ（ステップＳ２）、現在の検出温度を取得する。
【００２４】
そして、ＣＰＵ３０１は、現在の検出温度＋５度を警告温度として警告温度データ１２２に設定する（ステップＳ３）。
【００２５】
そして、ＣＰＵ３０１は、所定時間以内に温度センサ３０８から警告信号の出力があるかどうかを判定する（ステップＳ４）。なお、ＣＰＵ３０１が温度センサ３０８からの信号出力を待つ時間は、例えば、０．５〜１秒等であってもよい。
【００２６】
温度センサ３０８から警告信号の出力があった場合、実際の検出温度よりも警告温度のほうが高いにも関わらず出力されたことになり、信号出力部１３０等が適切に動作していないことになる。
【００２７】
この場合、ＶＤＰ３０４は、ＣＰＵ３０１からの命令に応じてＶＲＡＭ３０５内の画像データに基づき、画像信号を液晶パネル３０７に出力する。液晶パネル３０７は、当該画像信号に基づき、黄色の画像を表示する（ステップＳ５）。
【００２８】
そして、ＣＰＵ３０１は、警告温度の初期値を警告温度データ１２２に設定し（ステップＳ６）、検査処理を終了する。
【００２９】
一方、温度センサ３０８から警告信号の出力がなかった場合、ＣＰＵ３０１は、現在の検出温度−１度を警告温度として警告温度データ１２２に設定する（ステップＳ７）。
【００３０】
そして、ＣＰＵ３０１は、所定時間以内に温度センサ３０８から警告信号の出力があるかどうかを判定する（ステップＳ８）。
【００３１】
温度センサ３０８から警告信号の出力がなかった場合、実際の検出温度よりも警告温度のほうが低いにも関わらず警告信号が出力されなかったことになり、信号出力部１３０等が適切に動作していないことになる。
【００３２】
この場合、ＣＰＵ３０１等は、ステップＳ５、Ｓ６の処理を実行し、検査処理を終了する。
【００３３】
一方、温度センサ３０８から警告信号の出力があった場合は正常である。以上の手順により、温度センサ３０８の警告時の動作に関する検査処理は終了する。次に、表示装置３００は、温度センサ３０８の危険状態検出に関する検査処理を実行する（ステップＳ９）。
【００３４】
図４は、本実施例における危険状態検出の検査処理の流れを示すフローチャートである。
【００３５】
ＣＰＵ３０１は、温度測定部１１０に現在の温度を検出させ（ステップＳ１１）、現在の検出温度を取得する。
【００３６】
そして、ＣＰＵ３０１は、現在の検出温度＋５度を危険温度として危険温度データ１２４に設定する（ステップＳ１２）。
【００３７】
なお、信号出力部１３０は、検出温度が危険温度以上の場合、危険信号をリセット回路３０９に出力する。
【００３８】
温度センサ３０８から危険信号の出力があった場合、実際の検出温度よりも警告温度のほうが高いにも関わらず出力されたことになり、信号出力部１３０等が適切に動作していないことになる。
【００３９】
この場合、危険信号がリセット回路３０９に出力され、リセット回路３０９によって表示装置３００のシステムがリセットされるため、検査処理は終了する。
【００４０】
一方、温度センサ３０８から危険信号の出力がなかった場合（ステップＳ１３）、ＶＤＰ３０４は、ＣＰＵ３０１からの命令に応じてＶＲＡＭ３０５内の画像データに基づき、画像信号を液晶パネル３０７に出力する。液晶パネル３０７は、当該画像信号に基づき、緑色の画像を表示する（ステップＳ１４）。
【００４１】
そして、ＣＰＵ３０１は、現在の検出温度−１度を危険温度として危険温度データ１２４に設定する（ステップＳ１５）。
【００４２】
温度センサ３０８から危険信号の出力があった場合、実際の検出温度よりも警告温度のほうが低いため、信号出力部１３０等は適切に動作している。この場合、危険信号がリセット回路３０９に出力され、リセット回路３０９によって表示装置３００のシステムがリセットされ、検査処理は終了する。
【００４３】
一方、温度センサ３０８から危険信号の出力がなかった場合（ステップＳ１６）、信号出力部１３０等が適切に動作していないことになるため、ＶＤＰ３０４は、ＣＰＵ３０１からの命令に応じてＶＲＡＭ３０５内の画像データに基づき、画像信号を液晶パネル３０７に出力する。液晶パネル３０７は、当該画像信号に基づき、赤色の画像を表示する（ステップＳ１７）。
【００４４】
そして、ＣＰＵ３０１は、警告温度データ１２２および危険温度データ１２４を初期値に設定し（ステップＳ１８）、検査処理を終了する。
【００４５】
以上のように、本実施例によれば、表示装置３００は、現在の検出温度を取得し、当該検出温度に基づいて警告温度を設定し、警告信号の出力に関する情報を提示することにより、温度センサ３０８の警告動作の検査を行うことができる。
【００４６】
また、本実施例によれば、表示装置３００は、現在の検出温度を取得し、当該検出温度に基づいて危険温度を設定し、危険信号の出力に関する情報を提示することにより、温度センサ３０８の危険回避動作の検査を行うことができる。
【００４７】
さらに、ＣＰＵ３０１、ＶＤＰ３０４および液晶パネル３０７は、正常時には水色、緑色（この後にリセット）、警告動作不正時には水色、黄色、危険動作不正時には水色、緑色、赤色（または水色表示後にリセット）を１秒間隔程度で順番に表示することにより、ユーザーに検査結果を視覚的に提示することができる。
【００４８】
これらにより、ユーザーは、表示装置３００に実装された温度センサの動作検査を短時間かつ適切に実施することができる。
【００４９】
しかも、本実施例によれば、表示装置３００を高温にするための特別な設備を必要とすることなく、温度センサ３０８の動作検査を行うことができるため、特別な設備を使用する場合と比べ、検査に必要な費用を抑えられる。
【００５０】
なお、本発明の適用は上述した実施例に限定されず、種々の変形が可能である。
【００５１】
例えば、表示装置３００は、ステップＳ３の高温設定時の不正動作時、ステップＳ７の低温設定時の不正動作時とも同じ黄色を表示しているが、異なる色（例えば、前者の場合に黄色、後者の場合に紫色等）を表示してもよい。
【００５２】
これによれば、ユーザーは、異なる原因に対して異なる色が表示されることにより、エラーの原因を特定しやすくなる。
【００５３】
また、信号出力に関する情報の提示手法は、画像による提示手法に限定されず、例えば、音声出力による提示手法、光の点滅による提示手法等であってもよく、これらの手法を組み合わせてもよい。
【００５４】
また、表示装置３００は、ステップＳ２等で取得した温度センサ３０８の検出温度を表示してもよい。これによれば、ユーザーは、温度センサ３０８の検出温度が適切か確認することができる。なお、本実施例における温度センサ３０８は、単体での動作検査が完了した後に、上述した表示装置３００に実装された状態での動作検査が行われてもよい。
【００５５】
また、温度センサの測定対象はＶＤＰ３０４に限定されず、熱を発生する箇所、熱に弱い箇所等の任意の対象であってよい。また、上述した実施例では、温度センサ３０８の検出基準点は、２箇所になっているが、１箇所でもよい。また、上述した実施例では、１個の温度センサ３０８で２点の温度を検出する場合を例にしたが、各検出点ごとに１個ずつの温度センサを使用する構成でもよい。
【００５６】
また、本発明を適用可能な電子機器は、表示装置３００に限定されず、例えば、コンピュータ、ゲーム装置等の温度センサを有する種々の装置に本発明を適用可能である。
【００５７】
また、上述した制御部、提示部等としてコンピュータを機能させるためのプログラムを、情報記憶媒体またはネットワークを介して読み取ることにより、コンピュータが上述した機能を実装してもよい。
【図面の簡単な説明】
【００５８】
【図１】本実施例における表示装置の機能ブロック図である。
【図２】本実施例における温度センサの機能ブロック図である。
【図３】本実施例における検査処理の流れを示すフローチャートである。
【図４】本実施例における危険状態検出の検査処理の流れを示すフローチャートである。
【符号の説明】
【００５９】
１１０  温度測定部、１２０  記憶部、１２２  警告温度データ、１２４  危険温度データ、１３０  信号出力部、３００  表示装置（電子機器）、３０１  ＣＰＵ（制御部）、３０４  ＶＤＰ、３０７  液晶パネル（提示部）、３０８  温度センサ、３０９  リセット回路（リセット部）
【図１】
2007240179.tif 000003
【図２】
2007240179.tif 000004
【図３】
2007240179.tif 000005
【図４】
2007240179.tif 000006